(57)【要約】【課題】  各々別個の部材である第１および第２のスプロケット部から構成された安価なフェーズド複合スプロケットを提供する。【解決手段】  複合スプロケットにおいて、第１のスプロケット部４００が、チェーンと噛み合う歯４０２と、スプライン軸と係合する内側スプライン穴４０４と、スプラインが形成された隆起フランジ４２４とから構成され、第２のスプロケット部４１２が、チェーンと噛み合う歯４１４と、隆起フランジ４２４と係合するスプライン４２８が形成された内側穴４１６とから構成されている。第２のスプロケット部４１２の内側穴４１６は、第１のスプロケット部４００の隆起フランジ４２４のスプラインと係合しており、第１のスプロケット部４００は、第２のスプロケット部４１２に対して位相調整された関係で結合されている。【選択図】  図７
2005265187.tif 000002
【特許請求の範囲】
【請求項１】
スプライン軸から少なくとも２つのチェーンに動力を伝達するための複合スプロケットであって、
チェーンと噛み合う歯付外周部と、スプライン軸と係合する内側スプライン穴と、少なくとも一つの面に少なくとも一つのスプラインが形成された隆起フランジとを有する第１のスプロケット部と、
チェーンと噛み合う歯付外周部と、隆起フランジと係合する少なくとも一つのスプラインが形成された内側穴とを有する少なくとも一つの第２のスプロケット部とを備え、
第２のスプロケット部の内側穴および少なくともスプラインが、第１のスプロケット部の隆起フランジの少なくともスプラインと係合しており、第１のスプロケット部を第２のスプロケット部に位相調整された関係で結合されている、
ことを特徴とする複合スプロケット。
【請求項２】
請求項１において、
第１のスプロケット部の第２のスプロケット部に対する結合が固定されたものである、
ことを特徴とする複合スプロケット。
【請求項３】
請求項１において、
第１のスプロケット部の歯付外周部と第２のスプロケット部の歯付外周部との間にクリアランスが設けられている、
ことを特徴とする複合スプロケット。
【請求項４】
請求項１において、
第１のスプロケット部が第２のスプロケット部から１/２ピッチ位相調整されている、
ことを特徴とする複合スプロケット。
【請求項５】
スプライン軸から少なくとも２つのチェーンに動力を伝達するための複合スプロケットであって、
チェーンと噛み合う歯付外周部と、スプライン軸と係合する少なくとも一つのスプラインを有する内側穴と、少なくとも一つの面に形成された一体的な隆起部および対向凹部とを有する第１のスプロケット部と、
チェーンと噛み合う歯付外周部と、スプライン軸と係合する少なくとも一つのスプラインが形成された内側穴と、少なくとも一つの面に形成された一体的な隆起部および対向凹部とを有する少なくとも一つの第２のスプロケット部とを備え、
第１のスプロケット部の隆起部が第２のスプロケット部の凹部に受け入れられるとともに、第１のスプロケット部の凹部が第２のスプロケット部の隆起部を受け入れており、第１のスプロケット部を第２のスプロケット部に位相調整された関係で結合されている、
ことを特徴とする複合スプロケット。
【請求項６】
請求項５において、
第１のスプロケット部は、第１のスプロケット部の回転軸と直交する、第１のスプロケット部の少なくとも一つの面の垂直軸に関して対称である、
ことを特徴とする複合スプロケット。
【請求項７】
請求項５において、
第２のスプロケット部は、第１のスプロケット部の回転軸と直交する、第２のスプロケット部の少なくとも一つの面の垂直軸に関して対称である、
ことを特徴とする複合スプロケット。
【請求項８】
請求項５において、
第１のスプロケット部は、第１のスプロケット部の回転軸と直交する、第１のスプロケット部の少なくとも一つの面の平行軸に関して非対称であり、第２のスプロケット部は、第２のスプロケット部の回転軸と直交する、第２のスプロケット部の少なくとも一つの面の平行軸に関して非対称である、
ことを特徴とする複合スプロケット。
【請求項９】
請求項５において、
第１のスプロケット部を第２のスプロケット部に対して軸方向に位置決めするためのスナップリングをさらに備えている、
ことを特徴とする複合スプロケット。
【請求項１０】
請求項５において、
第１のスプロケット部の歯付外周部と第２のスプロケット部の歯付外周部との間には、クリアランスが設けられている、
ことを特徴とする複合スプロケット。
【請求項１１】
請求項５において、
第２のスプロケット部の内側穴の少なくとも一つのスプラインは、第２のスプロケット部の歯付外周部の歯の数と等しくない、
ことを特徴とする複合スプロケット。
【請求項１２】
請求項５において、
一体的な隆起部がピンであり、凹部がパンチ穴である、
ことを特徴とする複合スプロケット。
【請求項１３】
請求項５において、
一体的な隆起部が半円状であり、凹部が半円状である、
ことを特徴とする複合スプロケット。
【請求項１４】
請求項５において、
第１のスプロケット部が、第２のスプロケット部に対して１/２ピッチ位相調整されている、
ことを特徴とする複合スプロケット。
【請求項１５】
スプライン軸から少なくとも２つのチェーンに動力を伝達するための複合スプロケットの製造方法であって、
（ａ）第１のスプロケット部の隆起フランジに少なくとも一つのスプラインを形成する工程と、
（ｂ）第２のスプロケット部の内側穴に少なくとも一つのスプラインを形成する工程と、
（ｃ）第２のスプロケット部の少なくとも一つのスプラインが第１のスプロケット部の隆起フランジの少なくとも一つのスプラインによって受け入れられるように、第１のスプロケット部を第２のスプロケット部に強固に結合する工程と、
を備えた複合スプロケットの製造方法。
【請求項１６】
請求項１５において、
前記結合工程が、ろう付け、高温焼結、溶接または熱収縮である、
ことを特徴とする複合スプロケットの製造方法。
【請求項１７】
スプライン軸から少なくとも２つのチェーンに動力を伝達するための複合スプロケットであって、
チェーンと噛み合う歯付外周部と、少なくとも一つの面と、スプライン軸と係合する少なくとも一つのスプラインが形成された内側穴とを有し、第１のスプロケット部の内側穴の少なくとも一つのスプラインが、第１のスプロケット部の歯付外周部に対して１/４歯オフセットされている第１のスプロケット部と、
チェーンと噛み合う歯付外周部と、少なくとも一つの面と、スプライン軸と係合する少なくとも一つのスプラインが形成された内側穴とを有し、第２のスプロケット部の内側穴の少なくとも一つのスプラインが、第２のスプロケット部の歯付外周部に対して１/４歯オフセットされている第２のスプロケット部とを備え、
第１のスプロケット部または第２のスプロケット部のいずれか一方を他方に対して動かすことにより、第１のスプロケット部の少なくとも一つの面が、第２のスプロケット部の少なくとも一つの面と当接して、第１のスプロケット部を第２のスプロケット部に位相調整された関係で結合している、
ことを特徴とする複合スプロケット。
【請求項１８】
請求項１７において、
第１のスプロケット部の歯付外周部と第２のスプロケット部の歯付外周部との間には、クリアランスが設けられている、
ことを特徴とする複合スプロケット。
【請求項１９】
請求項１７において、
第１のスプロケット部は、第１のスプロケット部の回転軸と直交する、第１のスプロケット部の少なくとも一つの面の垂直軸に関して対称であり、第２のスプロケット部は、第１のスプロケット部の回転軸と直交する、第２のスプロケット部の少なくとも一つの面の垂直軸に関して対称である、
ことを特徴とする複合スプロケット。
【請求項２０】
請求項１７において、
第１のスプロケット部は、第１のスプロケット部の回転軸と直交する、第１のスプロケット部の少なくとも一つの面の平行軸に関して非対称であり、第２のスプロケット部は、第２のスプロケット部の回転軸と直交する、第２のスプロケット部の少なくとも一つの面の平行軸に関して非対称である、
ことを特徴とする複合スプロケット。
【請求項２１】
請求項１７において、
第１のスプロケット部が、第２のスプロケット部に対して１/２ピッチ位相調整されている、
ことを特徴とする複合スプロケット。
【請求項２２】
請求項１７において、
第１のスプロケット部の内側穴の少なくとも一つのスプラインが、第１のスプロケット部の歯付外周部の歯の数と等しくなっており、第２のスプロケット部の内側穴の少なくとも一つのスプラインが、第２のスプロケット部の歯付外周部の歯の数と等しくなっている、
ことを特徴とする複合スプロケット。
【発明の詳細な説明】
【技術分野】
【０００１】
本発明は、動力伝達用チェーンの分野に関する。より詳細には、本発明は、動力伝達用チェーンとともに用いられる、多数の部材からなりかつ位相調整された複合スプロケット（フェーズドスプロケット）に関する。
【背景技術】
【０００２】
従来の動力伝達システムにおいては、軸支された少なくとも２つのスプロケットの回りに無端状のチェーンが巻き掛けられている。ドライブスプロケットの回転により、チェーンを通じて動力の伝達が生じ、その結果、ドリブンスプロケットが回転する。
【０００３】
スプロケットおよびチェーンの接触により生じるノイズおよび振動を減少させるために、スプロケットの異なる組合せ、配置および連結が、従来の動力伝達システムにおいて用いられてきた。
【０００４】
米国特許第 5,427,580号は、エンジンタイミングシステムのスプロケットを２つの部分に分割するとともに、各部分を互いにオフセットして位相調整する点について開示している。他の実施態様では、単一のスプロケットが、互いに１/２ピッチ位相調整されるとともに単一のユニットとして製作された一対のスプロケットによって置き換えられている。
【０００５】
このように２つのスプロケットを単一のユニットとすることの大きな問題の一つは、製造コストおよび複雑さである。単一のユニットを製造するためには、多数のＰＭ（製造）工具を使用する複雑かつ膨大な道具立てが必要となり、製造コストを増大させる。
【０００６】
米国特許第 5,816,968号は、カムシャフトを駆動するためにチェーンによって連結されたアイドラーシャフトの上に、少なくとも２つの位相調整スプロケットが配置されたアイドラースプロケット組立体について開示している。アイドラーカムシャフトスプロケットは、別個に製作されており、スプロケットをスプラインまたはハブの上に配置するための内部キー溝または歯を有している。
【０００７】
米国特許第 5,846,149号は、位相調整スプロケットを含むチェーン・スプロケットシステムについて開示している。位相調整スプロケットは、単一の部材により、または２つの部材を溶着することにより構成されている。スプロケットは、２つの部分に分割され、次に、各部分が互いに位相調整されている。スプロケットの数は変更され得る。
【０００８】
米国特許第 5,980,406号は、ハブまたはシャフトに配置されるとともに互いに位相調整された全く同一の２つのスプロケットについて開示している。スプロケットは、内周面に突起および溝を有している。突起または溝は、スプラインまたはキー溝である。スプロケットはまた、スプロケットの内周面ではなく、半径方向に延びる面にスプラインを有していてもよい。
【０００９】
米国特許第 6,267,701号は、フェーズドチェーンシステムにおいて併設されかつオフセットされるとともに、一方のスプロケットのみがドライブシャフトに固定されたスプロケットについて開示している。残りのスプロケットは、自由に回転可能であり、シャフトに動力を伝達しない。スプロケットは互いに位相調整されている。
【００１０】
米国特許第 6,413,180号は、すべて同じ形状の内向き歯タイプのリンクからなり、第１のスプロケットの回りに巻き掛けられる第１のサイレントチェーンと、第２のスプロケットの回りに巻き掛けられる第２のサイレントチェーンとについて開示している。
【００１１】
第１および第２のスプロケットは、ドライブシャフトの上に平行に配置されており、第１のスプロケットの歯は、第２のスプロケットの歯に対してオフセットされている。第１および第２のチェーンは単一のピッチを有しており、スプロケットはランダムピッチを有している。スプロケットは、一体に形成されているか、または別個に形成されている。
【００１２】
特開平1-247858号公報は、シャフトに取り付けられた第１のスプロケットについて開示しており、同一形状の第２のスプロケットは、第１のスプロケットのボス部にスプライン係合している。ボス部は、スライドクラッチによってシャフトに連結されている。第１および第２のスプロケット互いに位相調整されている。
【００１３】
特開昭62-251564号公報は、位相調整された同一形状の一対のスプロケットに分割された２つのスプロケットについて開示している。分割は、軸方向になされている。
【特許文献１】米国特許第5,427,580号明細書
【特許文献２】米国特許第5,816,968号明細書
【特許文献３】米国特許第5,846,149号明細書
【特許文献４】米国特許第5,980,406号明細書
【特許文献５】米国特許第6,267,701号明細書
【特許文献６】米国特許第6,413,180号明細書
【特許文献７】特開平1-247858号公報
【特許文献８】特開昭62-251564号公報
【発明の開示】
【発明が解決しようとする課題】
【００１４】
本発明は、各々別個の部材である第１および第２のスプロケット部から構成されたフェーズド複合スプロケットを提供するとともに、第１および第２のスプロケット部間の相互の位相調整を簡単に行えるようにしている。
【課題を解決するための手段】
【００１５】
請求項１の発明は、スプライン軸から少なくとも２つのチェーンに動力を伝達するための複合スプロケットであって、チェーンと噛み合う歯付外周部と、スプライン軸と係合する内側スプライン穴と、少なくとも一つの面に少なくとも一つのスプラインが形成された隆起フランジとを有する第１のスプロケット部を備えるとともに、チェーンと噛み合う歯付外周部と、隆起フランジと係合する少なくとも一つのスプラインが形成された内側穴とを有する少なくとも一つの第２のスプロケットとを備えており、第２のスプロケット部の内側穴および少なくともスプラインが、第１のスプロケット部の隆起フランジの少なくともスプラインと係合しており、第１のスプロケット部が第２のスプロケット部に位相調整された関係で結合されている。
【００１６】
請求項２の発明では、請求項１において、第１のスプロケット部の第２のスプロケット部に対する結合が固定されたものである。
【００１７】
請求項３の発明では、請求項１において、第１のスプロケット部の歯付外周部と第２のスプロケット部の歯付外周部との間にクリアランスが設けられている。
【００１８】
請求項４の発明では、請求項１において、第１のスプロケット部が第２のスプロケット部から１/２ピッチ位相調整されている。
【００１９】
請求項５の発明は、スプライン軸から少なくとも２つのチェーンに動力を伝達するための複合スプロケットであって、チェーンと噛み合う歯付外周部と、スプライン軸と係合する少なくとも一つのスプラインを有する内側穴と、少なくとも一つの面に形成された一体的な隆起部および対向凹部とを有する第１のスプロケット部とを備えるとともに、チェーンと噛み合う歯付外周部と、スプライン軸と係合する少なくとも一つのスプラインが形成された内側穴と、少なくとも一つの面に形成された一体的な隆起部および対向凹部とを有する少なくとも一つの第２のスプロケット部とを備えている。第１のスプロケット部の隆起部は第２のスプロケット部の凹部に受け入れられ、第１のスプロケット部の凹部は第２のスプロケット部の隆起部を受け入れるとともに、第１のスプロケット部は第２のスプロケット部に位相調整された関係で結合されている。
【００２０】
請求項６の発明では、請求項５において、第１のスプロケット部が、第１のスプロケット部の回転軸と直交する、第１のスプロケット部の少なくとも一つの面の垂直軸に関して対称である。
【００２１】
請求項７の発明では、請求項５において、第２のスプロケット部が、第１のスプロケット部の回転軸と直交する、第２のスプロケット部の少なくとも一つの面の垂直軸に関して対称である。
【００２２】
請求項８の発明では、請求項５において、第１のスプロケット部が、第１のスプロケット部の回転軸と直交する、第１のスプロケット部の少なくとも一つの面の平行軸に関して非対称であり、第２のスプロケット部が、第２のスプロケット部の回転軸と直交する、第２のスプロケット部の少なくとも一つの面の平行軸に関して非対称である。
【００２３】
請求項９の発明では、請求項５において、第１のスプロケット部を第２のスプロケット部に対して軸方向に位置決めするためのスナップリングをさらに備えている。
【００２４】
請求項１０の発明では、請求項５において、第１のスプロケット部の歯付外周部と第２のスプロケット部の歯付外周部との間にクリアランスが設けられている。
【００２５】
請求項１１の発明では、請求項５において、第２のスプロケット部の内側穴の少なくとも一つのスプラインが、第２のスプロケット部の歯付外周部の歯の数と異なっている。
【００２６】
請求項１２の発明では、請求項５において、一体的な隆起部がピンであり、凹部がパンチ穴である。
【００２７】
請求項１３の発明では、請求項５において、一体的な隆起部が半円状であり、凹部が半円状である。
【００２８】
請求項１４の発明では、請求項５において、第１のスプロケット部が、第２のスプロケット部に対して１/２ピッチ位相調整されている。
【００２９】
請求項１５の発明は、スプライン軸から少なくとも２つのチェーンに動力を伝達するための複合スプロケットの製造方法であって、以下の工程から構成されている。
（ａ）第１のスプロケット部の隆起フランジに少なくとも一つのスプラインを形成する工程。
（ｂ）第２のスプロケット部の内側穴に少なくとも一つのスプラインを形成する工程。
（ｃ）第２のスプロケット部の少なくとも一つのスプラインが第１のスプロケット部の隆起フランジの少なくとも一つのスプラインによって受け入れられるように、第１のスプロケット部を第２のスプロケット部に強固に結合する工程。
【００３０】
請求項１６の発明では、請求項１５において、前記結合工程が、ろう付け、高温焼結、溶接または熱収縮である。
【００３１】
請求項１７の発明は、スプライン軸から少なくとも２つのチェーンに動力を伝達するための複合スプロケットであって、チェーンと噛み合う歯付外周部と、少なくとも一つの面と、スプライン軸と係合する少なくとも一つのスプラインが形成された内側穴とを有し、内側穴の少なくとも一つのスプラインが歯付外周部に対して１/４歯オフセットされている第１のスプロケット部を備えるとともに、チェーンと噛み合う歯付外周部と、少なくとも一つの面と、スプライン軸と係合する少なくとも一つのスプラインが形成された内側穴とを有し、内側穴の少なくとも一つのスプラインが歯付外周部に対して１/４歯オフセットされている第２のスプロケット部とを備えている。第１のスプロケット部または第２のスプロケット部のいずれか一方を他方に対して動かすことにより、第１のスプロケット部の少なくとも一つの面が、第２のスプロケット部の少なくとも一つの面と当接して、第１のスプロケット部を第２のスプロケット部に位相調整された関係で結合されるようになっている。
【００３２】
請求項１８の発明では、請求項１７において、第１のスプロケット部の歯付外周部と第２のスプロケット部の歯付外周部との間にクリアランスが設けられている。
【００３３】
請求項１９の発明では、請求項１７において、第１のスプロケット部が、第１のスプロケット部の回転軸と直交する、第１のスプロケット部の少なくとも一つの面の垂直軸に関して対称であり、第２のスプロケット部が、第１のスプロケット部の回転軸と直交する、第２のスプロケット部の少なくとも一つの面の垂直軸に関して対称である。
【００３４】
請求項２０の発明では、請求項１７において、第１のスプロケット部が、第１のスプロケット部の回転軸と直交する、第１のスプロケット部の少なくとも一つの面の平行軸に関して非対称であり、第２のスプロケット部が、第２のスプロケット部の回転軸と直交する、第２のスプロケット部の少なくとも一つの面の平行軸に関して非対称である。
【００３５】
請求項２１の発明では、請求項１７において、第１のスプロケット部が、第２のスプロケット部に対して１/２ピッチ位相調整されている。
【００３６】
請求項２２の発明では、請求項１７において、第１のスプロケット部の内側穴の少なくとも一つのスプラインが、第１のスプロケット部の歯付外周部の歯の数と等しくなっており、第２のスプロケット部の内側穴の少なくとも一つのスプラインが、第２のスプロケット部の歯付外周部の歯の数と等しくなっている。
【００３７】
本願発明は、スプライン軸から少なくとも２つのチェーンに動力を伝達するための複合（多重）スプロケットであって、第１のスプロケット部（半割体）と、少なくとも一つの第２のスプロケット部（半割体）とを備えている。
【００３８】
第１のスプロケット部は、チェーンと噛み合う歯付外周部と、シャフトと係合する内側スプライン穴と、少なくとも一方の面に形成された一体の隆起部およびこれと対向する凹部とを有している。
【００３９】
第２のスプロケット部は、チェーンと噛み合う歯付外周部と、シャフトと係合する内側スプライン穴と、少なくとも一方の面に形成された一体の隆起部およびこれと対向する凹部とを有している。
【００４０】
第１のスプロケット部の隆起部が第２のスプロケット部の凹部に受け入れられ、第１のスプロケット部の凹部が第２のスプロケット部の隆起部を受け入れており、第１のスプロケット部を位相調整された関係で第２のスプロケット部に連結している。
【００４１】
あるいは、第１のスプロケット部が、少なくとも一方の面にスプライン付隆起フランジを有していてもよい。第２のスプロケット部は、隆起フランジと係合するための少なくとも一つのスプラインが形成された内側穴を有している。
【００４２】
第２のスプロケット部の少なくとも一つのスプラインおよび内側穴は、第１のスプロケット部の隆起フランジの少なくとも一つのスプラインに適合している。各スプロケット部は、ろう付けまたは高温焼結により、位相調整された関係で強固に結合されている。
【００４３】
他の実施態様においては、第１のスプロケット部の少なくとも一つのスプラインを有する内側穴が、第１のスプロケット部の歯付外周部に対して１/４歯オフセットされており、第２のスプロケット部の少なくとも一つのスプラインを有する内側穴が、第２のスプロケット部の歯付外周部に対して１/４歯オフセットされている。
【００４４】
第１のスプロケット部または第２のスプロケット部のいずれか一方を他方に対して軽く動かすと、第１のスプロケット部および第２のスプロケット部の面が合致して、複合スプロケットを形成する。このとき、第１のスプロケット部は、第２のスプロケット部に対して位相調整されている。
【００４５】
本発明およびその目的をさらに理解するためには、図面、図面の簡単な説明、本発明の好ましい実施態様の詳細な説明および特許請求の範囲に注意が向けられるべきである。
【発明の効果】
【００４６】
本発明によれば、各々別個の部材からなる第１、第２のスプロケット部により、位相調整された複合スプロケットが構成されるので、安価な複合スプロケットを提供できる。
【発明を実施するための最良の形態】
【００４７】
以下、本発明の実施態様を添付図面に基づいて説明する。
図１に示すように、第１のスプロケット部１は、外周に沿って設けられた、図示しないチェーンと噛合する歯２と、内側スプライン穴４と、外周に沿って半円状に形成された凹部１０およびこれと対向する半円状の一体的な隆起部８を有する少なくとも一つの側面６とを備えている。図２は、第１のスプロケット部１の凹部１０と対向するように形成された隆起部８の面８ａを拡大して示している。
【００４８】
同様に、第２のスプロケット部１２は、外周に沿って設けられた、図示しないチェーンと噛合する歯１４と、内側スプライン穴１６と、外周に沿って半円状に形成された凹部２０およびこれと対向する半円状の一体的な隆起部２２を有する少なくとも一つの側面１８とを備えている。隆起部８，２２および凹部１０，２０は、迅速な組立てを許容するために、第１のスプロケット部１を第２のスプロケット部１２に対向させて連結するのに用いられている。
【００４９】
第１および第２のスプロケット部１，１２が連結される場合には、ハブまたはドライブシャフトの上に配置して動力伝達のためにチェーンと噛み合わせるために、第１のスプロケット部１の半円状の凹部１０が第２のスプロケット部１２の隆起部２２を受け入れるとともに、第１のスプロケット部１の隆起部８が第２のスプロケット部１２の凹部２０に受け入れられることにより、複合スプロケット５００（図８および図９参照）が構成される。
【００５０】
図８および図９に示す複合スプロケット５００においては、第１のスプロケット部１が第２のスプロケット部１２に対して１/２歯だけ位相調整されているが、各スプロケット部１，１２間の位相差は１/２歯より大きくても小さくてもよい。
【００５１】
第１のスプロケット部１の歯付外周部と第２のスプロケット部１２の歯付外周部との間の距離であるクリアランスは、第１および第２のスプロケット部１，１２がいかにうまく連結されるかに関する直接的な関係を表している。
【００５２】
第２のスプロケット部１２の隆起部２２と第１のスプロケット部１の隆起部８との間の間隙は、理想的には、できるだけ０に近い方がよい。第１および第２のスプロケット部１，１２間の嵌め合いがぴったりとしていればいるほど、バックラッシュが少なくなる。
【００５３】
この実施態様では、第１、第２のスプロケット部１，１２の内側スプライン穴４，１６上のスプラインまたは歯の数は、各スプロケット部１，１２の歯付外周部の歯２，１４の数と異なっている。
【００５４】
第１、第２のスプロケット部１，１２が連結されるとき、隆起部８，２２および凹部１０，２０の配置が、スプロケット部１，１２の歯付外周部の各歯を１/２歯だけオフセットしつつ位置決めする。第１のスプロケット部１および第２のスプロケット部１２の間の位相差は、隆起部８，２２および凹部１０，２０の配置に対して適切な変更がなされることにより、１/２歯より大きくてもまた小さくてもよい。
【００５５】
第１および第２のスプロケット部１，１２は、各スプロケット部の回転軸と直交する側面６，１８の垂直軸、つまり、図１において各スプロケット部の回転軸中心を通りかつ各隆起部８，２２の長さ方向中央部分を通る、側面６，１８の垂直切断面に関して対称である。あるいは、第１および第２のスプロケット部１，１２は、各スプロケット部１，１２の回転軸と直交する側面６，１８の平行軸に関して非対称である。
【００５６】
第１、第２のスプロケット部１，１２はまた、多数の部材から構成されていてもよい。もしスプロケット部が対称であれば、各スプロケット部を組み立てるのに使用される各部材は相互に互換性を有している。
【００５７】
第１、第２のスプロケット部１，１２は、所定位置に物理的に固定されておらず、同じシャフトに遊嵌されているが、この場合、軸方向の位置関係を維持するためにスナップリング（図示せず）を用いられてもよい。
【００５８】
複合スプロケット５００を構成するのに各々単一の２つのスプロケット部１，１２を用いるようにしたので、位相調整された２つ以上のスプロケット部分を一つのスプロケットに一体的に形成する場合に比べて、スプロケット製作に要していた工具類の数を減らして、複雑さを減らすとともに、組立時間を減少させることができ、その結果、ノイズレベルを低く抑えることができる安価なフェーズド複合スプロケットを実現できる。
【００５９】
図４に示す第２の実施態様においては、第１のスプロケット部１００は、チェーンと噛み合うように外周に沿って配置された歯１０２と、少なくとも一つのスプラインを有する内側スプライン穴１０４と、少なくとも一つの側面１０６とを備えている。
【００６０】
同様に、第２のスプロケット部１１２は、チェーンと噛み合うように外周に沿って配置された歯１１４と、少なくとも一つのスプラインを有する内側スプライン穴１１６と、少なくとも一つの側面１１８とを備えている。内側スプライン穴１０４，１１６は、位相差を設定するように用いられている。
【００６１】
図３に示すように、内側スプライン穴１０４は、第１のスプロケット部１００の歯付外周部の歯１０２の中心アライメントに対して、１/４スプライン歯だけオフセットされている。第２のスプロケット部１１２は、歯付外周部の歯１１４に対して１/４スプライン歯オフセットされた同じ内側スプライン穴１０６を有している。
【００６２】
第１のスプロケット部１００が裏返されて第２のスプロケット部１１２と連結される場合、各スプロケット部がハブまたはドライブシャフトの上に配置されて動力伝達のためにチェーンと噛み合うように、第１のスプロケット部１００の歯付外周部の歯１０２が第２のスプロケット部１１２の歯付外周部の歯１１４から１/２歯オフセットされて、図８および図９に示すような複合スプロケット５００を構成することになる。
【００６３】
第１のスプロケット部１００および第２のスプロケット部１１２の間の位相差は、内側スプライン穴において歯またはスプラインの間隔に対して適切な変更がなされることにより、１/２歯より大きくてもまた小さくてもよい。
【００６４】
この実施態様では、第１、第２のスプロケット部１００，１１２の内側スプライン穴１０４，１１６上のスプラインまたは歯の数は、各スプロケット部１００，１１２の歯付外周部の歯１０２，１１４の数とは一致していない。
【００６５】
第１および第２のスプロケット部１００，１１２は、各スプロケット部の回転軸と直交する側面１０６，１１８の垂直軸、つまり、図４において各スプロケット部の回転軸中心を通る側面６，１８の垂直切断面に関して対称である。あるいは、第１および第２のスプロケット部１００，１１２は、各スプロケット部１００，１１２の回転軸と直交する側面１０６，１１８の平行軸に関して非対称である。
【００６６】
第１、第２のスプロケット部１００，１１２はまた、多数の部材から構成されていてもよい。もしスプロケット部が対称であれば、各スプロケット部を組み立てるのに使用される各部材は相互に互換性を有している。
【００６７】
第１、第２のスプロケット部１００，１１２は、所定位置に物理的に固定されることなく、同じシャフトに遊嵌されて用いられるが、このとき、軸方向の位置関係を維持するためにスナップリング（図示せず）が用いられてもよい。
【００６８】
複合スプロケット５００を構成するのに各々単一の２つのスプロケット部１００，１１２を用いることにより、スプロケット製作に必要な工具類の数を減らして、複雑さを減らすとともに、組立時間を減少させることができ、その結果、ノイズレベルを低く抑えることができる安価なフェーズド複合スプロケットに帰着することになる。
【００６９】
図５に示す第３の実施態様においては、第１のスプロケット部２００は、チェーンと噛み合うように外周に沿って配置された歯２０２と、内側スプライン穴２０４と、ここではそれぞれパンチ孔およびピンの形態を有する凹部２３０および一体的な突起２３２が形成された少なくとも一つの側面２０６とを備えている。
【００７０】
同様に、第２のスプロケット部２１２は、チェーンと噛み合うように外周に沿って配置された歯２１４と、内側スプライン穴２１６と、ここではそれぞれピンおよびパンチ孔の形態を有する一体的な突起２３４および凹部２３６が形成された少なくとも一つの側面２１８とを備えている。
【００７１】
突起２３２，２３４および凹部２３０，２３６は、迅速な組立てを許容するために、第１のスプロケット部２００を第２のスプロケット部２１２に対向させて連結するのに用いられている。
【００７２】
第１のスプロケット部２００が紙面手前側に向かって軽く動かされると、図８および図９に示すように、各スプロケット部２００，２１２の２つの面２０６，２１８が当接して、単一の複合スプロケット５００に帰着することになる。このとき、第１のスプロケット部２００は第２のスプロケット部２１２に対して位相調整されている。
【００７３】
第１、第２のスプロケット部２００，２１２の各突起２３２，２３４および各凹部２３０，２３６間の嵌合状態がぴったりとしていればいるほど、発生するバックラッシュが少なくなる。
【００７４】
内側スプライン穴２０４，２１６は、位相差を設定するのに用いられている。第１の実施態様と同様に、内側スプライン穴２０４は、第１のスプロケット歯２００の歯付外周部の歯２０２の中心アライメントに対して１/４スプライン歯だけオフセットされている。第２のスプロケット部２１２は、歯付外周部の歯２１４に対して１/４スプライン歯だけオフセットされた同じ内側スプライン穴２０６を有している。
【００７５】
第１のスプロケット部２００が第２のスプロケット部２１２と結合されるとき、第１のスプロケット部２００の歯付外周部の歯２０２が、第２のスプロケット部２１２の歯付外周部の歯２１４から１/２歯オフセットされる。
【００７６】
第１のスプロケット部２００および第２のスプロケット部２１２の間の位相差は、内側スプライン穴において歯またはスプラインの間隔に対して適切な変更がなされることにより、１/２歯より大きくてもまた小さくてもよい。
【００７７】
あるいは、第２の実施態様と同様に、各スプロケット部２００，２１２の歯付外周部の各歯２０２，２１４の歯数は、各スプロケット部２００，２１２の内側スプライン穴２０４、２１６のスプロケットまたは歯の歯数と等しくてもよい。
【００７８】
各スプロケット部２００，２１２が連結されるとき、突起部２３２，２３４および凹部２３０，２３６の配置が、各スプロケット部２００，２１２の歯付外周部を１/２歯だけオフセットしつつ位置決めする。
【００７９】
第１および第２のスプロケット部２００，２１２は、各スプロケット部の回転軸と直交する側面２０６，２１８の垂直軸、つまり、図５においてスプロケット部の回転軸中心ならびに突起部および凹部の中心軸を通る、側面６，１８の垂直切断面に関して対称である。あるいは、第１および第２のスプロケット部２００，２１２は、各スプロケット部の回転軸と直交する側面２０６，２１８の平行軸に関して非対称である。
【００８０】
第１、第２のスプロケット部２００，２１２はまた、多数の部材から構成されていてもよい。もしスプロケット部が対称であれば、各スプロケット部を組み立てるのに使用される各部材は相互に互換性を有している。
【００８１】
第１、第２のスプロケット部２００，２１２は、所定位置に物理的に固定されることなく、同じシャフトに遊嵌されて用いられるが、軸方向の位置関係を維持するためにスナップリング（図示せず）を使用してもよい。
【００８２】
複合スプロケット５００を構成するのに、各々単一の２つのスプロケット部２００，２１２を用いることによって、スプロケット製作に必要な工具類の数を減らして、複雑さを減らすとともに、組立時間を減少させることができ、その結果、ノイズレベルを低く抑えることができる安価なフェーズド複合スプロケットに帰着することになる。
【００８３】
図６は、本発明の第４の実施態様を示している。粉末金属からなる第１のスプロケット部３００は、外周に沿って設けられた、チェーンと噛合する歯３０２と、内側スプライン穴３０４と、少なくとも一つの（ここでは１８０度対向配置された一対の）スプラインまたはキー溝３２６が形成された隆起フランジ（ボス部）３２４を一体に有する少なくとも一つの側面３０６とを備えている。
【００８４】
同様に、粉末金属からなる第２のスプロケット部３１２は、外周に沿って設けられた、チェーンと噛合する歯３１４と、第１のスプロケット部３００の隆起フランジ３２４と係合する少なくとも一つの（ここでは１８０度対向配置された一対の）スプラインまたはキー３２８が形成された内側穴３１６とを備えている。
【００８５】
第１のスプロケット部３００の隆起フランジ３２４上のスプラインまたはキー溝３２６と、第２のスプロケット部３１２のスプラインまたはキー３２８とは、第１のスプロケット部３００を第２のスプロケット部３１２に対して対向させて連結するのに用いられている。
【００８６】
各スプロケット部３００，３１２は、ろう付けまたは高温焼結によって強固に連結される。いずれの場合においても、結果として生じる複合スプロケット５００は、迅速に組み立てられる。
【００８７】
各スプロケット部３００，３１２が高温焼結によって強固に結合されるとき、第１のスプロケット部３００を構成する粉末金属は、加熱時にはある速度で膨張する特性を有しており、粉末金属製の第２のスプロケット部３１２は、加熱時には、第１のスプロケット部３００の場合よりも遅い速度で膨張する特性を有している。
【００８８】
第１および第２のスプロケット部３００，３１２が連結される場合には、ハブまたはドライブシャフトの上に配置されて動力伝達のためにチェーンと噛み合うように、第２のスプロケット部３１２の内側穴３１６のスプラインまたはキー３２８が、第１のスプロケット部３００の隆起フランジ３２４のスプラインまたはキー溝３２６に受け入れられて、単一の複合スプロケット５００を構成する（図８および図９参照）。
【００８９】
このとき、第１のスプロケット部３００は、第２のスプロケット部３１２に対して位相調整されており、各スプロケット部は、ろう付けまたは高焼結により互いに強固に連結される。各スプロケット部を強固に連結するためのその他の方法は、熱収縮や溶接を含んでいる。
【００９０】
第１のスプロケット部３００の歯付外周部と第２のスプロケット部３１２の歯付外周部との間の距離であるクリアランスは、第１および第２のスプロケット部３００，３１２がいかにうまく連結されるかに関する直接的な関係を表している。
【００９１】
複合スプロケット５００を構成するのに、各々単一の２つのスプロケット部３００，３１２を用いることによって、スプロケットの製作に必要な工具類の数を減らして、複雑さを減らすとともに、組立時間を減少させることができ、その結果、ノイズレベルを低く抑えることができる安価なフェーズド複合スプロケットに帰着することになる。
【００９２】
図７は、本発明の第５の実施態様を示している。粉末金属からなる第１のスプロケット部４００は、外周に沿って設けられた、チェーンと噛合する歯４０２と、内側スプライン穴４０４と、多数のスプラインまたはキー溝４２６を有する隆起フランジ４２４が一体に形成された少なくとも一つの側面４０６とを備えている。
【００９３】
同様に、粉末金属からなる第２のスプロケット部４１２は、外周に沿って設けられた、チェーンと噛合する歯４１４と、多数のスプラインまたはキー４２８を有する内側穴４１６とを備えている。多数のスプラインまたはキー４２８が形成された内側穴４１６および隆起フランジ４２４は、第１のスプロケット部４００を第２のスプロケット部４１２に対して対向させつつ連結するのに用いられている。
【００９４】
各スプロケット部４００，４１２は、ろう付けまたは高温焼結によって強固に連結される。いずれの場合においても、結果として生じる複合スプロケット５００は、迅速に組み立てられる。
【００９５】
各スプロケット部４００，４１２が高温焼結によって強固に結合されるとき、第１のスプロケット部４００を構成する粉末金属は、加熱時にはある速度で膨張する特性を有しており、粉末金属製の第２のスプロケット部４１２は、加熱時には、第１のスプロケット部４００の場合よりも遅い速度で膨張する特性を有している。
【００９６】
第１および第２のスプロケット部４００，４１２が連結される場合には、ハブまたはドライブシャフトの上に配置されて動力伝達のためにチェーンと噛み合うように、第１のスプロケット部４００において多数のスプラインまたはキー溝４２６を有する隆起フランジ４２４が、第２のスプロケット部４１２の内側穴４１６の多数のスプラインまたはキー溝４２８に受け入れられて、単一の複合スプロケット５００を構成する（図８および図９参照）。
【００９７】
このとき、第１のスプロケット部４００は、第２のスプロケット部４１２に対して位相調整されており、各スプロケット部は、ろう付けまたは高焼結により互いに強固に連結される。各スプロケット部を強固に連結するためのその他の方法は、熱収縮や溶接を含んでいる。
【００９８】
第１のスプロケット部４００の歯付外周部と第２のスプロケット部４１２の歯付外周部との間の距離であるクリアランスは、第１および第２のスプロケット部４００，４１２がいかにうまく連結されるかに関する直接的な関係を表している。
【００９９】
複合スプロケット５００を構成する各々単一のスプロケット部４００，４１２を用いることによって、スプロケットの製作に必要な工具類の数を減らして、複雑さを減らすとともに、組立時間を減少させることができ、その結果、ノイズレベルを低く抑えることができる安価なフェーズド複合スプロケットに帰着することになる。
【０１００】
＜実験例＞
表１に示すように、ランダムチェーンと組み合わされた従来のスプロケット、ジェミニタイプの一体型スプロケット、およびスプライン・フェーズド・スプロケットが、４個所にマイクを設置した状態で、５００〜３００ＲＰＭの平均速度範囲においてそれぞれ試験された。各々のチェーンおよびスプロケット組立体において２回ずつテストが行われ、２つのテストの平均値が計算された。
【０１０１】
一体型ジェミニ・スプロケットシステムと比較して、本発明によるスプライン・フェーズド・スプロケットのピッチ周波数は１．９ｄＢＡ高く、オーバーオール音は０．３ｄＢＡ高かったが、この程度の差は、人の耳では識別困難である。
【０１０２】
スプライン・フェーズド・スプロケットは、ピッチ周波数において平均１０．８ｄＢＡの向上を示し、オーバーオール音に対しては１．９ｄＢＡの向上を示した。以下に示すように、スプライン・フェーズド・スプロケットは、従来のランダムチェーンよりも著しく低いノイズレベルを提供する。
【０１０３】
【表１】
2005265187.tif 000003
【０１０４】
上述の実施態様に示したように、単一のスプロケット部（半割体）により構成された複合スプロケットは、製造コストの低減、道具立ておよび製造の簡略化を提供するとともに、従来の一体型スプロケットに匹敵し得るノイズレベルを提供する。
【０１０５】
本明細書中で記述された本発明の実施態様は、本発明の原理を適用する単なる例示にすぎないということが理解されるべきである。図示された実施態様の詳細に本明細書中で言及したことは、特許請求の範囲に記載された発明の内容を限定する意図ではない。
【図面の簡単な説明】
【０１０６】
【図１】本発明の第１の実施態様による複合スプロケットを構成する２つのスプロケット部であって、ここでは、内側スプライン穴におけるスプラインの数が各スプロケット部の外周部における歯の数と一致していない例を示している。
【図２】図１における第１のスプロケット部の拡大部分図である。
【図３】本発明の第２の実施態様による第１のスプロケット部において、外周部の歯に対する内側スプライン穴のスプラインの配列を示している。
【図４】本発明の第２の実施態様による複合スプロケットを構成する２つのスプロケット部を示しており、ここでは、内側スプライン穴のスプラインの数が外周部の歯の数に等しくなっている例を示している。
【図５】本発明の第３の実施態様による複合スプロケットを構成する２つのスプロケット部を互いに固定するための他の手段を示している。
【図６】本発明の第３の実施態様による複合スプロケットを構成する２つのスプロケット部を互いに固定するためのさらに他の手段を示している。
【図７】本発明の第４の実施態様による複合スプロケットを構成する２つのスプロケット部を互いに固定するための別の手段を示している。
【図８】組み立てられた複合スプロケットの側面図である。
【図９】組み立てられた複合スプロケットの正面図である。
【符号の説明】
【０１０７】
４００：  第１のスプロケット部
４０４：  内側スプライン穴
４２４：  隆起フランジ
４２６：  スプライン
４１２：  第２のスプロケット部
４１６：  内側穴
４２８：  スプライン
５００：  複合スプロケット
【図１】
2005265187.tif 000004
【図２】
2005265187.tif 000005
【図３】
2005265187.tif 000006
【図４】
2005265187.tif 000007
【図５】
2005265187.tif 000008
【図６】
2005265187.tif 000009
【図７】
2005265187.tif 000010
【図８】
2005265187.tif 000011
【図９】
2005265187.tif 000012